(57)【要約】 【課題】電気炊飯器に関する発明が開示される。【解決手段】本発明の一実施形態に係る電気炊飯器は、上部ケース部と、上部ケース部の下側に位置し、下方に熱を発散させる上部ヒーターと、上部ヒーターの下側に位置し、調理対象物を入れる内筒と、内筒に向き合い、上部ヒーターの下側に位置する上部伝熱板と、電気炊飯器の外形を構成し、内部に内筒が設置される本体と、内筒に向き合う上部伝熱板の周縁部に沿って設置され、上部伝熱板と内筒との間を移動する空気の流れを遮断する真空パッキン部とを含んでなることを特徴とする。【選択図】図３
2016529962.tif 000002
【特許請求の範囲】
【請求項１】
上部ケース部と、
前記上部ケース部の下側に位置し、下方に熱を発散させる上部ヒーターと、
前記上部ヒーターの下側に位置し、調理対象物を入れる内筒と、
前記内筒に向き合い、前記上部ヒーターの下側に位置する上部伝熱板と、
電気炊飯器の外形を構成し、内部に内筒が設置される本体と、
前記内筒に向き合う前記上部伝熱板の周縁部に沿って設置され、前記上部伝熱板と前記内筒との間を移動する空気の流れを遮断する真空パッキン部とを含んでなることを特徴とする、電気炊飯器。
【請求項２】
前記内筒に連通し、モーターの回転動力によって動作して加圧力が調節され、前記上部ヒーターと前記内筒との間に形成された圧力を排出させた後、再び密閉された状態を維持する自動バルブ部と、
前記上部ケース部または前記上部伝熱板に設置され、前記上部ヒーターの温度または上部ヒーターの動作により加熱された空気の温度を測定する上部温度センサーとをさらに含むことを特徴とする、請求項１に記載の電気炊飯器。
【請求項３】
前記上部ケース部に固定される固定板、及び
前記固定板の下部に位置する上部ヒーターブラケットをさらに含み、
前記上部ヒーターは、前記上部ヒーターブラケットの内側に固定されて熱を発生させ、前記上部伝熱板は、前記上部ヒーターブラケットを介して下方に移動する熱を前記内筒の内側へ伝達することを特徴とする、請求項２に記載の電気炊飯器。
【請求項４】
前記自動バルブ部は、
固定板に固定され、第１取付部と第２取付部を備えるバルブケースと、
前記第１取付部の内側に固定され、回転動力を供給する駆動部と、
前記駆動部からの動力を受けて前記第２取付部で回転し、内側には傾くように突出した高さが漸次増加する高さ調節傾斜突起を備える回転調節部と、
前記高さ調節傾斜突起に接する高低突起を備え、前記高さ調節傾斜突起の回転によって上下移動する移動部と、
前記移動部の下部を包み込む形状に設置され、前記移動部の上下移動を案内する移動ケース部と、
前記移動部と前記移動ケース部との間に位置する支持板と、前記支持板から延び、前記移動部の上方に突出する垂直バーを備える加圧部材と、
前記加圧部材を下方に弾性加圧し、前記回転調節部の回転により弾性力が可変する弾性部と、
前記移動ケース部の下側に連結され、第１密閉板を下側に備える上側密閉部材と、
前記上側密閉部材の下側に位置し、前記内筒の内側に連通する圧力排出孔を備える下側密閉部材とを含むことを特徴とする、請求項２に記載の電気炊飯器。
【請求項５】
前記バルブケースは、
前記第１取付部及び前記第２取付部を有する第１ケースと、
前記第１ケースの下部に結合され、前記上側密閉部材を上方に持ち上げて、排出される流体を前記上部ケース部の外側へ案内する圧力排出管路を備え、前記移動ケース部に備えられた回転防止孔に挿入されて前記移動ケース部の回転を拘束する回転防止突起を有する第２ケースとを含み、
前記第１取付部は、
前記駆動部が内側に位置する空間を形成する第１取付面と、
前記第１取付面から突出して前記駆動部を支持し、前記第１取付面と前記駆動部との間に空気の移動通路を形成する放熱突起とを含むことを特徴とする、請求項４に記載の電気炊飯器。
【請求項６】
前記駆動部は、前記第１取付部に固定されるモーターと、
前記モーターからの動力を受けて回転する駆動ギアとを含むことを特徴とする、請求項４に記載の電気炊飯器。
【請求項７】
前記回転調節部は、前記駆動ギアに噛み合って回転する従動ギアと、
前記従動ギアの下方に延びる円筒状の回転調節体とを含むことを特徴とする、請求項６に記載の電気炊飯器。
【請求項８】
前記移動部は、前記回転調節体の内側に引き込まれて前記移動ケース部に沿って上下移動し、中央には前記垂直バーが貫通する移動ベースを含み、
前記高低突起は、前記垂直バーを中心に前記移動ベースの両側に設置されることを特徴とする、請求項７に記載の電気炊飯器。
【請求項９】
前記弾性部は、
前記回転調節部に上側が支持され、前記支持板に下側が支持される第１加圧部材と、
前記第１加圧部材の外側に位置し、前記移動部に上側が支持され、前記支持板に下側が支持される第２加圧部材を含むことを特徴とする、請求項４に記載の電気炊飯器。
【請求項１０】
前記上部ケース部にヒンジ連結される本体に設置され、前記本体に前記内筒が安着されるときに前記内筒の上部の周りに接しながら前記内筒の荷重により加圧されて動作する感知スイッチ部をさらに含むことを特報とする、請求項２に記載の電気炊飯器。
【請求項１１】
前記感知スイッチ部は、前記内筒が安着される前記本体の上方に突出し、前記内筒の上部の周りに接しながら下方に移動する昇降部材、及び
前記昇降部材の移動を感知して制御部へ測定値を伝達する第２スイッチを含むことを特徴とする、請求項１０に記載の電気炊飯器。
【請求項１２】
前記内筒の内側空間の温度を測定する内部温度測定センサーをさらに含むことを特徴とする、請求項３に記載の電気炊飯器。
【請求項１３】
前記真空パッキン部は、
前記上部伝熱板の周りに沿って設置され、前記上部伝熱板の周縁部が引き込まれる内側溝を備えるパッキン本体と、
前記パッキン本体の上方に延び、前記上部伝熱板の外側に接して設置される第１羽部材と、
前記パッキン本体の下方に延び、前記内筒の内側面に接する第２羽部材とを含むことを特徴とする、請求項２に記載の電気炊飯器。
【請求項１４】
前記第２羽部材は、
前記パッキン本体から延びて前記上部伝熱板と前記内筒との間に位置する第２羽本体と、
前記内筒に向き合う前記第２羽本体の側面から突出して前記内筒の内側面に接する複数のシール突起とを含むことを特徴とする、請求項１３に記載の電気炊飯器。
【請求項１５】
前記内筒の下側に位置し、上側に熱を発散させる下部ヒーター部と、
前記下部ヒーター部の温度を測定する下部温度センサーとをさらに含むことを特徴とする、請求項２に記載の電気炊飯器。
【請求項１６】
前記下部ヒーター部に支持し、前記内筒の外側を包み込む形状に設置される外筒をさらに含むことを特徴とする、請求項１５に記載の電気炊飯器。
【請求項１７】
前記外筒の下側に設置され、前記内筒と前記外筒との間にある空気の温度に応じて排気孔を自動的に開閉させる空気排出部をさらに含むことを特徴とする、請求項１６に記載の電気炊飯器。
【請求項１８】
前記空気排出部は、前記外筒の下部に固定され、温度の上昇により一側または両側が上方に曲げられるバイメタルボディと、前記バイメタルボディから延び、排気孔を開閉する遮蔽突起とを含むことを特徴とする、請求項１７に記載の電気炊飯器。
【請求項１９】
前記外筒の上側の周縁部を囲む形状に設置され、前記内筒と前記外筒との間の上側空間を遮蔽する支持パッキン部をさらに含むことを特徴とする、請求項１６に記載の電気炊飯器。
【請求項２０】
前記上部ケース部のロックを解除する開閉ボタン部の動作を感知する開閉センサー部と、
前記開閉センサー部からの測定値を受け、動力を発生させる開閉駆動部と、
前記開閉駆動部からの動力を受け、前記上部ケース部を持ち上げる伝達部とをさらに含むことを特徴とする、請求項２に記載の電気炊飯器。
【請求項２１】
前記開閉センサー部は、前記開閉ボタン部の回転により加圧されるスイッチ突起と、
前記スイッチ突起の移動を感知して制御部へ測定値を伝達する第１スイッチとを含むことを特徴とする、請求項２０に記載の電気炊飯器。
【請求項２２】
前記伝達部は、
前記開閉駆動部の動作により回転し、高さが漸次増加する傾斜面が上側の周りに沿って備えられる高さ調節ハウジング、及び
前記傾斜面に接する受け突起を備え、前記高さ調節ハウジングの上側に位置し、前記高さ調節ハウジングの回転によって上下移動する移動ボディ部と、
前記移動ボディ部を貫通する形状に設置され、前記移動ボディ部と一緒に移動して上部ケース部を上方に加圧する移動バーとを含むことを特徴とする、請求項２０に記載の電気炊飯器。
【請求項２３】
前記上部伝熱板上に備えられた取付板に設置されるカバー部材と、
前記カバー部材に備えられ、前記内筒の蒸気圧力による蒸気を排出して設定圧力に維持する蒸気排出部と、
前記蒸気排出部に隣接して前記カバー部材に備えられ、上部密閉部材が下部密閉部材の上側に安着され、調理物の温度が降下することにより真空が形成され、前記内筒の内部に形成された真空状態を解除する真空解除部とをさらに含むことを特徴とする、請求項１に記載の電気炊飯器。
【請求項２４】
前記内筒の上側傾斜面の底面を支持して下部熱の排出防止及び密閉を行う支持パッキン部をさらに含むことを特徴とする、請求項２３に記載の電気炊飯器。
【請求項２５】
前記真空パッキン部は、
前記上部伝熱板の周りに組み込まれる内側溝を有するパッキン本体と、
前記パッキン本体の上方に延び、前記取付板により押圧されながら前記上部伝熱板の周縁部の上面を覆う第１羽部材と、
前記パッキン本体の下方に延び、前記内筒の上側傾斜面に密着する第２羽部材とを含むことを特徴とする、請求項２３に記載の電気炊飯器。
【請求項２６】
前記支持パッキン部は、
前記内筒の外側に設けられる外筒に支持され、前記本体から延設される固定リブの下側に備えられる支持体と、
前記支持体から角部へ延びて前記上側傾斜面の底面に密着支持され、下部熱の排出を遮断し密閉を行う係止支持部材とを含み、
前記支持体は、前記外筒を貫通して前記固定リブに締結される結合部材によって挿入されて固定されることを特徴とする、請求項２４に記載の電気炊飯器。
【請求項２７】
前記内筒は、調理のために安着されるか或いは洗浄のために分離されるときに感知スイッチ部によって電源のオン／オフ状態が制御され、前記感知スイッチ部は、本体に設置される第２スイッチと、前記スイッチ本体の上側に回動可能に設置されるレバー部材と、前記レバー部材の端部が結合され、前記内筒に対して接触して或いは分離されて昇降する昇降部材と、前記第２スイッチに備えられ、前記昇降部材によるレバー部材の作動で電源をオン／オフする作動ボタンとを含むことを特徴とする、請求項２３に記載の電気炊飯器。
【請求項２８】
前記上部伝熱板の上側には上部加熱のための上部ヒーターが備えられ、前記上部ヒーターは前記取付板の底面に結合されることを特徴とする、請求項２３に記載の電気炊飯器。
【請求項２９】
前記蒸気排出部は、前記カバー部材に形成され、前記内筒の内部蒸気を蒸気排出孔へ排出する流動空間部と、前記上部伝熱板に設けられた設置孔に設置され、中心に蒸気通路が形成される下部密閉部材と、前記下部密閉部材の上側に安着されて前記流動空間部に流動可能に設置され、内部の圧力が設定値以上である場合には上下移動を介して蒸気を排出する上部密閉部材とを含むことを特徴とする、請求項２３に記載の電気炊飯器。
【請求項３０】
前記蒸気排出孔は、前記上部密閉部材の側方向に連結されて上側に貫通することを特徴とする、請求項２９に記載の電気炊飯器。
【請求項３１】
前記上部密閉部材の上側には前記流動空間部を介して外部へ突出し、上下動作によって蒸気排出を調節する補助重量部材が備えられることを特徴とする、請求項２９に記載の電気炊飯器。
【請求項３２】
前記上部密閉部材は補助重量部材が嵌合されるように一つ以上の突出部と内部溝を含む形状からなることを特徴とする、請求項２９に記載の電気炊飯器。
【請求項３３】
前記上部密閉部材の上側にはスプリング弾性力によって蒸気の排出を調節するためのスプリングが含まれ、流動空間部内でスプリング支持台に連結されることを特徴とする、請求項２９に記載の電気炊飯器。
【請求項３４】
前記上部密閉部材は、スプリング支持台が上部密閉部材に嵌合できるように少なくとも一つの突出部と内部溝を含み、前記スプリング支持台の下側には、前記上部密閉部材に結合できるように一つ以上の突出部と内部溝とを含む結合部がさらに備えられることを特徴とする、請求項３３に記載の電気炊飯器。
【請求項３５】
前記真空解除部は、
前記カバー部材に形成され、空気流入孔から外部の空気が流入する設置空間部と、
前記設置空間部に挿入され、前記空気流入孔に連結される連結孔、下部に連通する貫通孔、及び上側に設けられる安着溝部を有するシール部材と、
前記安着溝部に回動可能に安着され、回動によって前記連結孔に対して連通または遮断される移動孔を有する密閉部材とを含むことを特徴とする、請求項２３に記載の電気炊飯器。
【請求項３６】
前記密閉部材は、
前記移動孔が設けられ、前記安着溝部に安着されるボール部材と、
前記ボール部材の上側に備えられ、前記カバー部材に設けられた連結孔を介して外部に連結される支持軸と、
前記支持軸の端部に備えられ、前記ボール部材を回動させる作動レバーとを含むことを特徴とする、請求項３５に記載の電気炊飯器。
【請求項３７】
前記移動孔は、前記ボール部材の下部から中心部に連通し、前記シール部材の貫通孔に連結される上下移動孔と、前記上下移動孔における一側または両側で外側と連通し、上部作動レバーの回動により前記連結孔に一致するか或いは一致しないように設けられる左右移動孔とを含むことを特徴とする、請求項３６に記載の電気炊飯器。
【請求項３８】
前記左右移動孔は前記ボール部材の中心部の下方向に設けられ、
前記設置空間部には前記ボール部材の上側屈曲面と前記シール部材の上面を加圧する加圧溝部を形成することを特徴とする、請求項３７に記載の電気炊飯器。
【請求項３９】
前記電気炊飯器は、下部外筒の底部に装着したバイメタル部材を介して加熱と保温時の温度に応じて自動的に開閉されるようにする開閉部をさらに含むことを特徴とする、請求項２３に記載の電気炊飯器。
【発明の詳細な説明】
【技術分野】
【０００１】
本発明は、電気炊飯器に係り、より詳しくは、パッキン部を堅固に固定することにより、真空度を増加させて飲食物の腐敗を防止し、モーターなどが備えられた伝達部または作動レバーなどが備えられた真空解除部を用いて、内筒の上側に位置する上部ケース部の開放を容易に行うことができる電気炊飯器に関する。
【背景技術】
【０００２】
一般に、電気炊飯器は、電気抵抗により発生する熱を用いてご飯や飲食物を調理する調理器具である。電気炊飯器は、本体部に米などの飲食物を入れて蓋を閉じた状態で、底面部に電気で熱を加えて調理を行う。前述したような従来の電気炊飯器には、蒸気を排出するためのバルブが備えられたが、前記バルブは、単に蒸気を排出し或いは蒸気の排出を中止する状態に作動する。また、電気炊飯器は、本体の内筒に覆われる蓋にパッキンを備えて本体の内部を高圧状態に維持し、調理後には開閉手段を作動させて蒸気を外部へ排出するので、高圧状態を解除するように構成される。また、従来の電気炊飯器は、ヒーターが内筒を基準として下部にのみ存在するため、内筒の内部空気が均一に加熱されないという問題点があった。これにより、飲食物を長期間保管する場合、飲食物が変質する問題が頻繁に発生した。
【先行技術文献】
【特許文献】
【０００３】
【特許文献１】韓国公開特許第２０１１−００９５９９５号公報（２０１１年８月２６日公開、発明の名称：全自動電気炊飯器）
【発明の概要】
【発明が解決しようとする課題】
【０００４】
従来の電気炊飯器は、ヒーターが内筒を基準として下部にのみ存在し、内筒の内部空気が均一に加熱されないという問題点があるので、本発明は、下部ヒーターだけでなく、上部ヒーターを備えて内筒の内部温度の均一度を増加させて長期間飲食物の保管を可能にする。
【０００５】
そして、従来は、調理が完了した後、電気炊飯器の内側を低圧に維持して飲食物の貯蔵度を向上させる技術が提案されたが、低圧状態を解除し、電気炊飯器の上部ケース部を持ち上げる動作がまともに行われないので、使用上の不便さが加重される。
【０００６】
そこで、本発明の目的は、低圧状態が解除された電気炊飯器の上部ケース部を容易に持ち上げることができる電気炊飯器を提供することにある。
【０００７】
本発明の他の目的は、電気炊飯器の上部ハウジングに備えられた作動レバーを回転させて密閉部材の移動孔を介して空気を流入させるので、真空状態を簡単に解除することができる電気炊飯器を提供することにある。
【０００８】
本発明の別の目的は、パッキン部を堅固に固定するので、真空吸入による隙間の発生を防止することができる電気炊飯器を提供することにある。
【０００９】
本発明の別の目的は、蒸気排出部を別個に備えるので、作動レバーの回転による真空解除の際に相互間の干渉を防止することができる電気炊飯器を提供することにある。
【００１０】
本発明の別の目的は、感知スイッチ部を用いて内筒の安着及び分離による電源のオン／オフ状態を制御するので、安全事故を予め防止することができる電気炊飯器を提供することにある。
【課題を解決するための手段】
【００１１】
本発明に係る電気炊飯器は、上部ケース部と、上部ケース部の下側に位置し、下方に熱を発散させる上部ヒーターと、上部ヒーターの下側に位置し、調理対象物を入れる内筒と、内筒に向き合い、上部ヒーターの下側に位置する上部伝熱板と、電気炊飯器の外形を構成し、内部に内筒が設置される本体と、内筒に向き合う上部伝熱板の周縁部に沿って設置され、上部伝熱板と内筒との間を移動する空気の流れを遮断する真空パッキン部とを含んでなることを特徴とする。
【００１２】
本発明の一実施形態に係る電気炊飯器は、前記構成の他にも、前記内筒に連通し、モーターの回転動力によって動作して加圧力が調節され、上部ヒーターと内筒との間に形成された圧力を排出させた後、再び密閉された状態を維持する自動バルブ部と、上部ケース部または上部伝熱板に設置され、上部ヒーターの温度または上部ヒーターの動作により加熱された空気の温度を測定する上部温度センサーとをさらに含むことができる。
【００１３】
また、上部ケース部に固定される固定板、及び固定板の下部に位置する上部ヒーターブラケットをさらに含むことができ、上部ヒーターは、上部ヒーターブラケットの内側に固定されて熱を発生させ、上部伝熱板は、上部ヒーターブラケットを介して下方に移動する熱を内筒の内側へ伝達することを特徴とする。
【００１４】
また、自動バルブ部は、固定板に固定され、第１取付部と第２取付部を備えるバルブケースと、第１取付部の内側に固定され、回転動力を供給する駆動部と、駆動部からの動力を受けて第２取付部で回転し、内側には傾くように突出した高さが漸次増加する高さ調節傾斜突起を備える回転調節部と、高さ調節傾斜突起に接する高低突起を備え、高さ調節傾斜突起の回転によって上下移動する移動部と、移動部の下部を包み込む形状に設置され、移動部の上下移動を案内する移動ケース部と、移動部と移動ケース部との間に位置する支持板と、支持板から延び、移動部の上方に突出する垂直バーを備える加圧部材と、加圧部材を下方に弾性加圧し、回転調節部の回転により弾性力が可変する弾性部と、移動ケース部の下側に連結され、第１密閉板を下側に備える上側密閉部材と、上側密閉部材の下側に位置し、内筒の内側に連通する圧力排出孔を備える下側密閉部材とを含むことが好ましい。
【００１５】
また、バルブケースは、第１取付部及び第２取付部を有する第１ケースと、第１ケースの下部に結合され、上側密閉部材を上方に持ち上げて、排出される流体を上部ケース部の外側へ案内する圧力排出管路を備え、移動ケース部に備えられた回転防止孔に挿入されて移動ケース部の回転を拘束する回転防止突起を有する第２ケースとを含み、第１取付部は、駆動部が内側に位置する空間を形成する第１取付面と、第１取付面から突出して駆動部を支持し、第１取付面と駆動部との間に空気の移動通路を形成する放熱突起とを含むことを特徴とする。
【００１６】
また、駆動部は、第１取付部に固定されるモーターと、モーターからの動力を受けて回転する駆動ギアとを含むことが好ましい。
【００１７】
また、回転調節部は、駆動ギアに噛み合って回転する従動ギアと、該従動ギアの下方に延びる円筒状の回転調節体とを含むことが好ましい。
【００１８】
また、移動部は、回転調節体の内側に引き込まれて移動ケース部に沿って上下移動し、中央には垂直バーが貫通する移動ベースを含み、高低突起は垂直バーを中心に移動ベースの両側に設置されることが好ましい。  
また、弾性部は、回転調節部に上側が支持され、支持板に下側が支持される第１加圧部材と、第１加圧部材の外側に位置し、移動部に上側が支持され、支持板に下側が支持される第２加圧部材を含むことが好ましい。
【００１９】
また、本発明は、上部ケース部にヒンジ連結される本体に設置され、本体に内筒が安着されるときに内筒の上部の周りに接しながら内筒の荷重により加圧されて動作する感知スイッチ部をさらに含むことが好ましい。
【００２０】
また、感知スイッチ部は、内筒が安着される本体の上方に突出し、内筒の上部の周りに接しながら下方に移動する昇降部材、及び昇降部材の移動を感知して制御部へ測定値を伝達する第２スイッチを含むことが好ましい。
【００２１】
また、本発明は、内筒の内側空間の温度を測定する内部温度測定センサーをさらに含むことが好ましい。
【００２２】
また、真空パッキン部は、上部伝熱板の周りに沿って設置され、上部伝熱板の周縁部が引き込まれる内側溝を備えるパッキン本体と、パッキン本体の上方に延び、上部伝熱板の外側に接して設置される第１羽部材と、パッキン本体の下方に延び、内筒の内側面に接する第２羽部材とを含むことが好ましい。
【００２３】
また、第２羽部材は、パッキン本体から延びて上部伝熱板と内筒との間に位置する第２羽本体と、内筒に向き合う第２羽本体の側面から突出して内筒の内側面に接する複数のシール突起とを含むことが好ましい。
【００２４】
また、本発明は、内筒の下側に位置し、上側に熱を発散させる下部ヒーター部と、下部ヒーター部の温度を測定する下部温度センサーとをさらに含むことが好ましい。
【００２５】
また、本発明は、下部ヒーター部に支持し、内筒の外側を包み込む形状に設置される外筒をさらに含むことが好ましい。
【００２６】
また、本発明は、外筒の下側に設置され、内筒と外筒との間にある空気の温度に応じて排気孔を自動的に開閉させる空気排出部をさらに含むことが好ましい。
【００２７】
また、空気排出部は、外筒の下部に固定され、温度の上昇により一側または両側が上方に曲げられるバイメタルボディと、バイメタルボディから延び、排気孔を開閉する遮蔽突起とを含むことが好ましい。
【００２８】
また、本発明は、外筒の上側の周縁部を囲む形状に設置され、内筒と外筒との間の上側空間を遮蔽する支持パッキン部をさらに含むことが好ましい。
【００２９】
また、本発明は、上部ケース部のロックを解除する開閉ボタン部の動作を感知する開閉センサー部と、開閉センサー部からの測定値を受け、動力を発生させる開閉駆動部と、開閉駆動部からの動力を受け、上部ケース部を持ち上げる伝達部とをさらに含むことを特徴とする。
【００３０】
また、開閉センサー部は、開閉ボタン部の回転により加圧されるスイッチ突起と、スイッチ突起の移動を感知して制御部へ測定値を伝達する第１スイッチとを含むことを特徴とする。
【００３１】
また、伝達部は、開閉駆動部の動作により回転し、高さが漸次増加する傾斜面が上側の周りに沿って備えられる高さ調節ハウジング、及び傾斜面に接する受け突起を備え、高さ調節ハウジングの上側に位置し、高さ調節ハウジングの回転によって上下移動する移動ボディ部と、移動ボディ部を貫通する形状に設置され、移動ボディ部と一緒に移動して上部ケース部を上方に加圧する移動バーとを含むことを特徴とする。
【００３２】
本発明の他の実施形態に係る電気炊飯器は、上部ケース部、上部ヒーター、内筒、上部伝熱板、本体及び真空パッキン部の他にも、上部伝熱板上に備えられた取付板に設置されるカバー部材と、カバー部材に備えられ、内筒の蒸気圧力による蒸気を排出して設定圧力に維持する蒸気排出部と、蒸気排出部に隣接してカバー部材に備えられ、上部密閉部材が下部密閉部材の上側に安着され、調理物の温度が降下することにより真空が形成され、内筒の内部に形成された真空状態を解除する真空解除部とをさらに含むことを特徴とする。
【００３３】
また、本発明は、内筒の上側傾斜面の底面を支持して下部熱の排出防止及び密閉を行う支持パッキン部をさらに含むことを特徴とする。
【００３４】
また、真空パッキン部は、上部伝熱板の周りに組み込まれる内側溝を有するパッキン本体と、パッキン本体の上方に延び、取付板により押圧されながら上部伝熱板の周縁部の上面を覆う第１羽部材と、パッキン本体の下方に延び、内筒の上側傾斜面に密着する第２羽部材とを含むことを特徴とする。
【００３５】
また、支持パッキン部は、内筒の外側に設けられる外筒に支持され、本体から延設される固定リブの下側に備えられる支持体と、支持体から角部へ延びて上側傾斜面の底面に密着支持され、下部熱の排出を遮断し密閉を行う係止支持部材とを含み、支持体は、外筒を貫通して固定リブに締結される結合部材によって挿入されて固定されることを特徴とする。
【００３６】
また、本発明の電気炊飯器は、内筒は、調理のために安着されるか或いは洗浄のために分離されるときに感知スイッチ部によって電源のオン／オフ状態が制御され、感知スイッチ部は、本体に設置される第２スイッチと、スイッチ本体の上側に回動可能に設置されるレバー部材と、該レバー部材の端部が結合され、内筒に対して接触して或いは分離されて昇降する昇降部材と、第２スイッチに備えられ、昇降部材によるレバー部材の作動で電源をオン／オフする作動ボタンとを含むことを特徴とする。
【００３７】
また、本発明の電気炊飯器は、上部伝熱板の上側には上部加熱のための上部ヒーターが備えられ、上部ヒーターは取付板の底面に結合されることを特徴とする。
【００３８】
また、蒸気排出部は、カバー部材に形成され、内筒の内部蒸気を蒸気排出孔へ排出する流動空間部と、上部伝熱板に設けられた設置孔に設置され、中心に蒸気通路が形成される下部密閉部材と、下部密閉部材の上側に安着されて流動空間部に流動可能に設置され、内部の圧力が設定値以上である場合には上下移動を介して蒸気を排出する上部密閉部材とを含むことを特徴とする。
【００３９】
また、蒸気排出孔は、上部密閉部材の側方向に連結されて上側に貫通することを特徴とする。
【００４０】
また、本発明の電気炊飯器は、上部密閉部材の上側には流動空間部を介して外部へ突出し、上下動作によって蒸気排出を調節する補助重量部材が備えられることを特徴とする。
【００４１】
また、本発明の電気炊飯器は、上部密閉部材は補助重量部材が嵌合されるように一つ以上の突出部と内部溝を含む形状からなることを特徴とする。
【００４２】
また、本発明の電気炊飯器は、上部密閉部材の上側にはスプリング弾性力によって蒸気の排出を調節するためのスプリングが含まれ、流動空間部内でスプリング支持台に連結されることを特徴とする。
【００４３】
また、上部密閉部材は、スプリング支持台が上部密閉部材に嵌合できるように少なくとも一つの突出部と内部溝を含み、スプリング支持台の下側には、上部密閉部材に結合できるように一つ以上の突出部と内部溝とを含む結合部がさらに備えられることを特徴とする。
【００４４】
また、真空解除部は、カバー部材に形成され、空気流入孔から外部の空気が流入する設置空間部と、設置空間部に挿入され、空気流入孔に連結される連結孔、下部に連通する貫通孔、及び上側に設けられる安着溝部を有するシール部材と、
安着溝部に回動可能に安着され、回動によって連結孔に対して連通または遮断される移動孔を有する密閉部材とを含むことを特徴とする。
【００４５】
また、密閉部材は、移動孔が設けられ、安着溝部に安着されるボール部材と、ボール部材の上側に備えられ、カバー部材に設けられた連結孔を介して外部に連結される支持軸と、支持軸の端部に備えられ、ボール部材を回動させる作動レバーとを含むことを特徴とする。
【００４６】
また、移動孔は、ボール部材の下部から中心部に連通し、シール部材の貫通孔に連結される上下移動孔と、上下移動孔における一側または両側で外側と連通し、上部作動レバーの回動により連結孔に一致するか或いは一致しないように設けられる左右移動孔とを含むことを特徴とする。
【００４７】
また、左右移動孔はボール部材の中心部の下方向に設けられ、設置空間部にはボール部材の上側屈曲面とシール部材の上面を加圧する加圧溝部を形成することを特徴とする。
【００４８】
また、本発明の電気炊飯器は、下部外筒の底部に装着したバイメタル部材を介して加熱と保温時の温度に応じて自動的に開閉されるようにする開閉部をさらに含むことを特徴とする。
【発明の効果】
【００４９】
本発明の電気炊飯器は、下部ヒーターだけでなく、上部ヒーターを備えて内筒の内部温度の均一度を増加させることにより、長期間飲食物の保管を可能にするとともに、飲食物の腐敗を防止することができる。
【００５０】
本発明の一実施形態に係る電気炊飯器は、低圧状態が解除された電気炊飯器の上部ケース部を持ち上げるために開閉ボタン部を回転させると、開閉ボタン部の回転を感知する開閉センサー部によって開閉駆動部が動作して上部ケース部を上方に押し上げるので、上部ケース部の開動作が容易に行われるようにすることができる。
【００５１】
本発明の他の実施形態に係る電気炊飯器は、炊飯器の上部ハウジングに備えられたレバーを回転させて密閉部材のボール部材の移動孔を介して空気を外部から少量流入させるので、回転によって真空状態を簡便に解除することができる。
【００５２】
また、本発明は、パッキン部を堅固に固定するので、真空吸入による隙間の発生を防止することができる。
【００５３】
また、本発明は、蒸気排出部を別個に備えるので、作動レバーの回転による真空解除の際に相互間の干渉を防止することができる。
【００５４】
また、本発明は、感知スイッチ部を用いて内筒の安着及び分離による電源のオン／オフ状態を制御するので、安全事故を予め防止することができる。
【図面の簡単な説明】
【００５５】
【図１】本発明の一実施形態に係る電気炊飯器の構造を概略的に示す部分切開斜視図である。
【図２】本発明の一実施形態に係る電気炊飯器の外形を概略的に示す斜視図である。
【図３】本発明の一実施形態に係る電気炊飯器を上部ケース部、内筒、本体に分離した状態を概略的に示す斜視図である。
【図４】本発明の一実施形態に係る上部ケース部の要部の構成を示す分解斜視図である。
【図５】本発明の一実施形態に係る本体の要部の構成を示す分解斜視図である。
【図６】本発明の一実施形態に係る開閉センサー部、開閉駆動部及び伝達部が設置された状態を示す分解斜視図である。
【図７】本発明の一実施形態に係る伝達部を分解して示す斜視図である。
【図８】本発明の一実施形態に係る開閉駆動部と伝達部とが結合された状態を示す斜視図である。
【図９】本発明の一実施形態に係る開閉センサー部、開閉駆動部及び伝達部が設置された状態を示す正面図である。
【図１０】本発明の一実施形態に係る感知スイッチ部が設置された状態を概略的に示す断面図である。
【図１１】本発明の一実施形態に係る感知スイッチ部が内筒を感知する状態を概略的に示す断面図である。
【図１２】本発明の一実施形態に係る自動バルブ部の下部を示す底面斜視図である。
【図１３】本発明の一実施形態に係る自動バルブ部の分解斜視図である。
【図１４】本発明の一実施形態に係る自動バルブ部の分解斜視図である。
【図１５】本発明の一実施形態に係る回転調節部と移動ケース部を示す斜視図である。
【図１６】本発明の一実施形態に係る回転調節部の下部を示す斜視図である。
【図１７】本発明の他の実施形態に係る電気炊飯器の斜視図である。
【図１８】本発明の他の実施形態に係る電気炊飯器の一部平面図である。
【図１９】図１７における「Ａ−Ａ」線に沿った上部断面図である。
【図２０】図１７における「Ｂ−Ｂ」線に沿った一部断面図である。
【図２１ａ】図２０に示した「Ｃ」部の内筒安置状態及び内筒分離状態を示す拡大図である。
【図２１ｂ】図２０に示した「Ｃ」部の内筒安置状態及び内筒分離状態を示す拡大図である。
【図２２】本発明の他の実施形態に係る電気炊飯器の蒸気排出部及び真空解除部の要部分解斜視図である。
【図２３】図２２による組立状態断面図である。
【図２４】図２３に示した真空解除部による真空維持状態を示す断面図である。
【図２５】図２３に示した真空解除部による真空解除状態を示す断面図である。
【図２６】本発明の他の実施形態に係るスプリング支持台の上側にスプリングが設置されたことを示す断面図である。
【図２７】本発明の他の実施形態に係る電気炊飯器の蒸気排出部及び真空解除部を示す断面図である。
【発明を実施するための形態】
【００５６】
以下、添付図面を参照して、本発明の一実施形態に係る電気炊飯器を説明する。説明の便宜のために、家庭用電気炊飯器を例として説明する。この過程で図面に示した線の太さや構成要素の大きさなどは説明の明瞭性及び便宜のために誇張して示してもよい。
【００５７】
また、後述する用語は本発明における機能を考慮して定義された用語であって、これは使用者、運用者の意図または慣例によって異なる。よって、これらの用語に対する定義は、本明細書全般にわたる内容に基づいて下されるべきである。
【００５８】
図１〜図６に示すように、本発明の一実施形態に係る電気炊飯器１は、本体１４０、上部ケース部１０、開閉センサー部１８０、開閉駆動部１９０、伝達部２００、上部ヒーター部２０、内筒３０、真空パッキン部４０、自動バルブ部５０、下部ヒーター部１５０、外筒１７０、感知スイッチ部２１０、内部温度測定センサー２２０、上部温度センサー２３０及び下部温度センサー２４０を含む。
【００５９】
電気炊飯器１の外形を形成する上部ケース部１０と本体１４０は、ヒンジ連結され、本体１４０の上側に上部ケース部１０が設置される。上部ケース部１０と本体１４０は射出成形で成形され、上部ケース部１０は本体１４０にヒンジ連結されて回転動作するので、内筒３０の上側を開閉することができる。上部ケース部１０は、外形を形成する上部ハウジング１２と、上部ハウジング１２の内側に設置されるフレーム部１４とを含む。
【００６０】
上部ヒーター部２０は、フレーム部１４の下側に設置され、上部ケース部１０の内側に固定されて下方に熱を発散させる技術思想内で様々な種類のヒーターが使用できる。  
上部ヒーター部２０を備えて内筒の内部温度の均一度を増加させて長期間飲食物の保管を可能にし、飲食物の腐敗を防止することができる。
【００６１】
一実施形態に係る上部ヒーター部２０は、固定板２１、上部ヒーターブラケット２４、上部ヒーター２５及び上部伝熱板２７を含む。
【００６２】
フレーム部１４の下側に固定される固定板２１は、円形板状に形成され、上部ヒーター２５の熱がフレーム部１４へ伝達されないように断熱機能を備える。固定板２１に第１連結孔２２が備えられ、第１連結孔２２に向き合う固定板２１の上側に自動バルブ部５０が設置される。
【００６３】
上部伝熱板２７の上側には、上部ヒーター２５が設置されるための内側空間を備えた上部ヒーターブラケット２４が設置される。上部ヒーターブラケット２４は、管路状に形成され、上部ヒーターブラケット２４が上部ヒーター２５を包んだ状態で固定板２１に固定されて上部ヒーター２５が固定板２１に固定される。
【００６４】
上部ヒーターブラケット２４と上部伝熱板２７は、熱伝達が容易な材質で成形される。上部ヒーターブラケット２４の内側に固定されて熱を発生させる上部ヒーター２５は、電気の供給により動作して熱を発生させる。
【００６５】
内筒３０に向き合って上部ヒーター２５の下側に位置する上部伝熱板２７は、内筒３０の上側に位置し、上部ヒーターブラケット２４を介して下側へ移動する熱を内筒３０の内側に伝達する技術思想内で様々な形状に変形できる。
【００６６】
上部伝熱板２７は、上部ヒーター２５から発生した熱を、内筒３０の設置された下側方向に伝達するので、上部ヒーター部２０の熱効率を向上させる。
【００６７】
上部伝熱板２７に第２連結孔２８が備えられ、第２連結孔２８を介して下側密閉部材１３０が設置される。
【００６８】
上部ヒーター部２０の下側に位置する内筒３０は、調理対象物が込められる技術思想内で様々な形状に形成できる。
【００６９】
上部温度センサー２３０は、上部ケース部１０または上部ヒーター部２０に設置され、上部ヒーター部２０の温度を測定して制御部へ測定値を伝達する。上部温度センサー２３０は、上部ヒーター部２０を構成する上部ヒーターブラケット２４または上部伝熱板２７などに設置される。上部温度センサー２３０は、上部ヒーター部２０に直接接して上部ヒーター部２０の温度を測定することができ、上部ヒーター部２０から離隔した状態で設置され、上部ヒーター部２０の温度または上部ヒーター部２０の動作により加熱された空気の温度を測定することができる。上部温度センサー２３０の測定値に基づいて、調理物に応じて上部ヒーター部２０の設定温度の制御が可能である。
【００７０】
内部温度測定センサー２２０は、内筒３０の内側空間の温度を測定する技術思想内で上部ケース部１０または上部ヒーター部２０を含む様々な設置位置に設置できる。一実施形態に係る内部温度測定センサー２２０は上部伝熱板２７の中心に設置される。上部伝熱板２７の中心から垂直方向に設置された内部温度測定センサー２２０は、下側が内筒３０の内側空間に連通するので、内筒３０の内側空間の温度を測定して制御部へ測定値を伝達する。
【００７１】
下部温度センサー２４０は、下部ヒーター部１５０の温度を測定する技術思想内で様々な種類のセンサーが使用される。下部温度センサー２４０は、外筒１７０または下部ヒーター部１５０を構成する部品に設置できる。下部温度センサー２４０は、下部ヒーター部１５０に直接接して下部ヒーター部１５０の温度を測定することができ、下部ヒーター部１５０から離隔した状態で設置され、下部ヒーター部１５０の温度または下部ヒーター部１５０の動作により加熱された空気の温度を測定することができる。下部温度センサー２４０の測定値に基づいて、調理物に応じて下部ヒーター部１５０の設定温度の制御が可能である。
【００７２】
上部ヒーター部２０と内筒３０との間に設置される真空パッキン部４０は、内筒３０に向き合う上部ヒーター部２０の周りに沿って設置される。真空パッキン部４０は、上部ヒーター部２０と内筒３０との間に空気が移動することを遮断する技術思想内で様々な形状のパッキンが使用できる。
【００７３】
一実施形態に係る真空パッキン部４０は、上部伝熱板２７の周りに沿って設置され、上部伝熱板２７の周縁部が引き込まれる内側溝４３を備えるパッキン本体４２と、パッキン本体４２の上方に延び、上部伝熱板２７の外側に接して設置される第１羽部材４５と、パッキン本体４２の下方に延び、内筒３０の内側面に接する第２羽部材４６とを含む。
【００７４】
パッキン本体４２は、リング状に形成され、上部伝熱板２７の周縁部に連結される。上部伝熱板２７の周縁部に向き合うパッキン本体４２の内側には内側溝４３が設けられるので、上部伝熱板２７の周縁部は内側溝４３に挿入されてパッキン本体４２が上部伝熱板２７に結合される。
【００７５】
パッキン本体４２の上方に延びる第１羽部材４５は上部伝熱板２７の上側に接し、パッキン本体４２の下方に延びる第２羽部材４６は上部伝熱板２７と内筒３０との間に延びる。
【００７６】
第２羽部材４６は、上部伝熱板２７と内筒３０との間に空気が移動することを遮断する技術思想内で様々な形状のパッキンが使用できる。一実施形態に係る第２羽部材４６は、パッキン本体４２から延びて上部伝熱板２７と内筒３０との間に位置する第２羽本体４７、及び内筒３０に向き合う第２羽本体４７の側面から突出して内筒３０の内側面に接する複数のシール突起４８を含む。
【００７７】
第２羽本体４７から突出したシール突起４８は内筒３０の内側面に接するので、第２羽本体４７と内筒３０との間に移動する空気を遮断して飲食物の保存期間を長く維持することができる。
【００７８】
また、真空パッキン部４０の第１羽部材４５とパッキン本体４２は、上部ヒーター部２０の下側の周縁部に接して内筒３０の設置された下側方向に加圧されながら、上部ヒーター部２０と内筒３０との間を密閉することが好ましい。
【００７９】
真空パッキン部４０によって密閉された上部ヒーター部２０と内筒３０との間に形成された圧力は、自動バルブ部５０によって電気炊飯器１の外側へ排出される。
【００８０】
上部ヒーター部２０に設置されて内筒３０に連通する自動バルブ部５０は、バルブケース５２、駆動部６５、回転調節部７０、移動部８０、移動ケース部９０、支持板１０２、加圧部材１００、弾性部１１０、上側密閉部材１２０及び下側密閉部材１３０を含む。
【００８１】
図４及び図１２〜図１６に示すように、自動バルブ部５０は、上部ケース部１０の内側に設置されて内筒３０と連通し、モーターの回転動力によって動作して加圧力が調節され、上部ケース部１０と内筒３０との間に形成された圧力を排出させた後、再び密閉された状態を維持する技術思想内で様々な種類のバルブ装置が使用できる。
【００８２】
上部ヒーター部２０の固定板２１には、内筒３０の内側に連通する第１連結孔２２が設けられ、このような固定板２１の上側にバルブケース５２が固定される。
【００８３】
バルブケース５２には、駆動部６５が設置される空間を形成する第１取付部５５、及び回転調節部７０などの部品が設置される空間を形成する第２取付部５８が備えられる。
【００８４】
一実施形態に係るバルブケース５２は、第１取付部５５と第２取付部５８を備える第１ケース５４、及び第１ケース５４の下部に結合される第２ケース６０を含む。
【００８５】
駆動部６５の自動バルブモーター６７が設置される第１取付部５５は、駆動部６５が内側に位置する空間を形成する第１取付面５６、及び第１取付面５６から突出して駆動部６５を支持する放熱突起５７を含む。
【００８６】
駆動部６５は、放熱突起５７によって第１取付面５６から離隔した状態で支持されるので、第１取付面５６と駆動部６５との間には空気の移動通路が形成される。
【００８７】
したがって、駆動部６５の周辺で過熱された空気は、第１取付面５６と駆動部６５との間に移動して自動バルブ部５０の外側へ排出されるので、駆動部６５の過熱を防止することができる。
【００８８】
第１取付部５５に隣り合う第２取付部５８には、回転調節部７０、弾性部１１０、移動部８０、加圧部材１００及び移動ケース部９０などが設置される。
【００８９】
第１ケース５４の下部に結合される第２ケース６０は、上側密封部材１２０を上方に持ち上げ、排出される流体を上部ケース部１０の外側へ案内する圧力排出管路６２を備える。
【００９０】
一実施形態に係る第２ケース６０は、水平方向に設置される第２ケース本体６１と、第２ケース本体６１の一側から上方に延びる圧力排出管路６２と、第２ケース本体６１の上方に突出し、移動ケース部９０に備えられた回転防止孔９７に挿入される回転防止突起６３とを含む。
【００９１】
回転防止突起６３は、移動ケース部９０の下部に設けられた回転防止孔９７に挿入され、移動ケース部９０の回転を拘束する。
【００９２】
第１取付部５５の内側に固定される駆動部６５は、自動バルブ部５０を動作させるための回転動力を供給する技術思想内で様々な種類の駆動装置が使用できる。
【００９３】
一実施形態に係る駆動部６５は、第１取付部５５に固定される自動バルブモーター６７と、自動バルブモーター６７からの動力を受けて回転する駆動ギア６８とを含む。
【００９４】
駆動部６５からの動力を受けて第２取付部５８で回転する回転調節部７０は、駆動ギア６８に噛み合って回転する従動ギア７２と、従動ギア７２の下方に延びる円筒状の回転調節本体７４とを含む。
【００９５】
回転調節本体７４の内側には、傾くように突出した高さが漸次増加する高さ調節傾斜突起７６が備えられる。
【００９６】
高さ調節傾斜突起７６は、回転調節本体７４の下方に延び、下方に突出する高さが漸次増加する。
【００９７】
回転調節本体７４は上側が塞がっている円筒状に形成され、回転調節本体７４の下側にはガイド突起７８が連結される。
【００９８】
ガイド突起７８は、回転調節本体７４の下端から回転調節本体７４の内側に延びる。回転調節本体７４の内側に移動ケース部９０が引き込まれ、移動ケース部９０の外側には高さガイド溝９８が備えられる。
【００９９】
ガイド突起７８は、移動ケース部９０の上側から下側へ移動した後、移動ケース部９０の円周方向に回転して高さガイド溝９８に引き込まれる。
【０１００】
回転調節部７０の内側には移動部８０が引き込まれ、移動部８０は、高さ調節傾斜突起７６に接する高低突起８４を備え、高さ調節傾斜突起７６の回転によって上下移動する。
【０１０１】
一実施形態に係る移動部８０は、回転調節本体７４の内側に引き込まれて移動ケース部９０に沿って上下移動し、中央には、垂直バー１０４が貫通する移動ベース８２、及び移動ベース８２の両側から上部に延びる高低突起８４を含む。
【０１０２】
移動ベース８２は、円板状に形成され、内側には垂直バー１０４が上下移動するための孔が備えられる。
【０１０３】
移動ベース８２の上方に延びる高低突起８４は、高さ調節傾斜突起７６に接しながら上下に移動する。このような高低突起８４は垂直バー１０４を中心に移動ベース８２の両側に設置される。
【０１０４】
移動ベース８２の両側エッジ付近にはガイド溝８６が縦方向に形成され、ガイド溝８６から離隔して係止溝８８も移動ベース８２の外側エッジに形成される。一実施形態に係る係止溝８８は移動ベース８２の上部エッジに対称となる溝を形成する。
【０１０５】
移動部８０の下部を包み込む形状に設置され、移動ケース部９０は、上側が開口しており且つ下側は塞がっている円筒状に形成される。
【０１０６】
回転調節部７０の内側に引き込まれる移動ケース部９０は、移動部８０の外側で移動部８０の上下移動を案内する技術思想内で様々な形状に形成できる。
【０１０７】
一実施形態に係る移動ケース部９０は、移動部８０が引き込まれる上側が開口している円筒状の移動ケース本体９２と、移動ケース本体９２の内側に上下方向に突出するガイドレール９４と、移動ケース本体９２の上側から移動ケース本体９２の内側へ突出する係止突部９６とを含む。
【０１０８】
ガイドレール９４は、移動部８０のガイド溝８６に挿入されて移動部８０の上下移動を案内し、移動部８０の回転は拘束する。  
係止突部９６の下側に移動部８０の係止溝８８が位置するので、移動部８０が移動ケース部９０の上側に移動しようとする場合は、係止溝８８が係止突部９６に係止されて移動部８０の上側離脱を防止する。
【０１０９】
移動ケース本体９２の下面には回転防止孔９７が設けられ、移動ケース本体９２の外側には螺旋状に高さガイド溝９８が設けられる。
【０１１０】
移動ケース本体９２の中央下側には、上側密閉部材１２０が挿入される通孔が設けられ、上側密閉部材１２０の上部に備えられた結合突起１２４は、上側密閉部材１２０の下側に備えられた結合溝９９に挿入されるので、上側密閉部材１２０が移動ケース部９０に結合される。
【０１１１】
移動部８０と移動ケース部９０との間に位置する加圧部材１００は、円板状の支持板１０２、及び支持板１０２から上部に延びて移動部８０の上方に突出する垂直バー１０４を含む。
【０１１２】
支持板１０２の上側に設置される弾性部１１０は、加圧部材１００を下方に弾性加圧し、回転調節部７０の回転により弾性力が可変する技術思想内で様々な種類の加圧装置が使用できる。
【０１１３】
一実施形態に係る弾性部１１０は、対価格性能に優れたコイルスプリングを使用する。
【０１１４】
一実施形態に係る弾性部１１０は、回転調節部７０に上側が支持され、支持板１０２に下側が支持される第１加圧部材１１２と、移動部８０に上側が支持され、支持板１０２に下側が支持される第２加部材１１４とを含み、第２加圧部材１１４は第１加圧部材１１２の外側に位置する。  
第１加圧部材１１２は支持板１０２を常に一定の力で加圧し、第２加圧部材１１４は回転調節部７０の回転によって加圧される力が調節される。
【０１１５】
移動部８０と支持板１０２との距離が長く形成されると、移動部８０と支持板１０２との間に設置された第２加部材１１４の弾性力は弱く形成され、移動部８０と支持板１０２との距離が短く形成されると、移動部８０と支持板１０２との間に設置された第２加部材１１４の弾性力は強く形成される。
【０１１６】
移動ケース部９０の下側に連結される上側密閉部材１２０は、弾性を有するゴムやシリコンなどを含んで成形される。
【０１１７】
一実施形態に係る上側密閉部材１２０は、下向きに凹んだ形状に形成された第１密閉板１２２が下側に備えられ、第１密閉板１２２の上方に膨らんだ形状の結合突起１２４が連結される。
【０１１８】
上側密閉部材１２０の下側に位置する下側密閉部材１３０は、内筒３０の内側に連通する圧力排出孔１３４が内側に備えられ、第１密閉板１２２に向き合う第２密閉板１３２が上側に備えられる。
【０１１９】
第２密閉板１３２は、上向きに凹んだ形状に形成され、弾性を有するゴムやシリコンなどを含んで成形される。
【０１２０】
第２ケース６０の下側には通孔が設けられ、このような通孔の周辺に沿って軟性材質の自動バルブパッキン１３７が設置される。
【０１２１】
したがって、下側密閉部材１３０を介して上部に上がってきた蒸気を含む流体が自動バルブパッキン１３７に接しながら圧力排出管路６２を介して移動して自動バルブ部５０の外側へ排出される。
【０１２２】
図１〜図５に示すように、上部ケース部１０とヒンジ連結された本体１４０は、内筒３０が挿入される内側空間を備え、内筒３０を加熱させる下部ヒーター部１５０が本体１４０の内側に設置される。
【０１２３】
一実施形態に係る本体１４０は、本体ハウジング１４１、ベースハウジング１４２及び開閉ボタン部１４３を含む。ボディハウジング１４１の下側にベースハウジング１４２が結合され、上部ケース部１０の回転を拘束する開閉ボタン部１４３は本体ハウジング１４１に回転可能に設置される。
【０１２４】
本体１４０と上部ケース部１０は弾性ヒンジ部１４７によって連結され、弾性ヒンジ部１４７の外側を包むカバーケース１４８は本体１４０に固定される。
【０１２５】
内筒３０の下側には下部ヒーター部１５０が設置され、内筒３０の位置した上側に熱を発散させる。
【０１２６】
一実施形態に係る下部ヒーター部１５０は、内筒３０の下側を支持する円板状の下部伝熱部１５２と、下部伝熱部１５２の下側に固定される下部ヒーターブラケット１５４と、下部ヒーターブラケット１５４に固定される下部ヒーター１５６とを含む。
【０１２７】
下部ヒーター１５６は管状に形成された下部ヒーターブラケット１５４の内側に設置され、下部ヒーターブラケット１５４は下部伝熱部１５２の下側に固定されるので、下部ヒーター１５６から発生した熱は下部伝熱部１５２を介して内筒３０へ伝達される。
【０１２８】
下部ヒーター部１５０を支持し且つ内筒３０の外側を包む形状に外筒１７０が設置される。
【０１２９】
外筒１７０の底面には複数の排気孔１７２が設けられ、このような排気孔１７２を介して空気を排出させる空気排出部１６０が外筒１７０の底面に設置される。外筒１７０の下側に設置される空気排出部１６０は、内筒３０と外筒１７０との間にある空気の温度、すなわち保熱空間の温度に応じて排気孔１７２を自動的に開閉させる技術思想内で様々な種類の排気装置が使用できる。
【０１３０】
一実施形態に係る空気排出部１６０は、外筒１７０の下部に固定され、温度の上昇によって一側または両側が上方に曲げられるバイメタルボディ１６２と、バイメタルボディ１６２から延び、排気孔１７２を開閉する遮蔽突起１６４とを含む。バイメタルボディ１６２は、設定された温度以上になると上方に曲げられ、このようなバイメタルボディ１６２の中央は外筒１７０の底面に固定される。バイメタルボディ１６２の両側に連結された遮蔽突起１６４は、外筒１７０に設けられた排気孔１７２を開閉する。
【０１３１】
外筒１７０の上側の周縁部を囲む形状に設置される支持パッキン部１４５は、内筒３０と外筒１７０との間の上側空間を遮蔽する。
【０１３２】
支持パッキン部１４５は、内筒３０と外筒１７０との間にある加熱された空気が、内筒３０及び外筒１７０の上側に排出されることを遮断する技術思想内で様々な形状に形成できる。
【０１３３】
図５〜図９に示すように、開閉センサー部１８０は、上部ケース部１０のロックを解除する開閉ボタン部１４３の動作を感知する技術思想内で様々な種類のセンサーが使用できる。
【０１３４】
一実施形態に係る開閉センサー部１８０は、開閉ボタン部１４３の回転により加圧されるスイッチ突起１８２と、スイッチ突起１８２の移動を感知して制御部へ測定値を伝達する第１スイッチ１８４とを含む。
【０１３５】
上部ケース部１０に係止されて上部ケース部１０の回転を拘束する開閉ボタン部１４３の内側には、開閉ボタン突起１４４が突出する。上部ケース部１０を開放するために開閉ボタン部１４３を回転させる場合、開閉ボタン部１４３の開閉ボタン突起１４４が、本体１４０の上方に突出したスイッチ突起１８２を加圧する。
【０１３６】
スイッチ突起１８２は、開閉ボタン突起１４４の移動経路に設置され、開閉ボタン突起１４４に接しながら本体１４０の内側へ移動する。
【０１３７】
スイッチ突起１８２に接した状態で設置される第１スイッチ１８４は、スイッチ突起１８２の下側移動を感知して制御部へ測定値を伝達する。
【０１３８】
開閉駆動部１９０は、開閉センサー部１８０からの測定値を受け、上部ケース部１０を上方に持ち上げる動力を発生させる技術思想内で様々な種類の駆動装置が使用できる。一実施形態に係る開閉駆動部１９０は、電気の供給によって回転動力を発生させる駆動モーター１９２であり、駆動モーター１９２の一側には、回転動力を出力する駆動軸１９４が備えられる。
【０１３９】
駆動モーター１９２はベースハウジング１４２の上方に突出した支持ハウジング１９６の内側に固定された状態で設置され、開閉駆動部１９０の上側には伝達部２００及び移動バー２０９が設置される。
【０１４０】
伝達部２００は、開閉駆動部１９０からの動力を受けて上部ケース部１０を持ち上げる技術思想内で様々な形状に形成できる。一実施形態に係る伝達部２００は、開閉駆動部１９０の動作により回転し、高さが漸次増加する傾斜面２０４が上側の周りに沿って備えられる高さ調節ハウジング２０２と、傾斜面２０４に接する受け突起２０８を備え、高さ調節ハウジング２０２の上側に位置し、高さ調節ハウジング２０２の回転によって上下移動する移動ボディ部２０６と、移動ボディ部２０６を貫通する形状に設置され、移動ボディ部２０６と一緒に移動して上部ケース部１０を上方に加圧する移動バー２０９とを含む。
【０１４１】
高さ調節ハウジング２０２の内側には開閉駆動部１９０の駆動軸１９４が挿入されて固定され、駆動軸１９４の回転により高さ調節ハウジング２０２は回転する。高さ調節ハウジング２０２の上側の周縁部には漸次高さが増加する傾斜面２０４が設置される。
【０１４２】
傾斜面２０４に接した状態で移動ボディ部２０６が設置され、高さ調節部の回転に伴って移動ボディ部２０６は上下移動する。移動ボディ部２０６は胴体部２０７と受け突起２０８を含む。胴体部２０７の中央には移動バー２０９が垂直に設置され、胴体部２０７と一緒に移動バー２０９が上下移動する。
【０１４３】
胴体部２０７の下部両側には受け突起２０８が突出し、高さ調節ハウジング２０２の回転に伴って、受け突起２０８を支持する傾斜面２０４の高さが変わるので、受け突起２０８と一緒に移動ボディ部２０６の上下移動が行われる。
【０１４４】
移動バー２０９は、本体１４０の本体ハウジング１４１の上側に突出可能に設置され、上部ケース部１０が内筒３０の上側を遮蔽する場合には本体ハウジング１４１の内側にあり、上部ケース部１０が開かれる場合には本体ハウジング１４１の上方に突出して上部ケース部１０を上方に持ち上げる。
【０１４５】
図３、図１０及び図１１に示すように、内筒３０の装着有無を測定する感知スイッチ部２１０は、本体１４０に設置され、本体１４０に内筒３０が安着されるときに内筒３０の上部の周りに接しながら内筒３０の荷重によって加圧されて動作する制御部（図示せず）へ測定値を伝達する。
【０１４６】
一実施形態に係る感知スイッチ部２１０は、内筒３０が安着される本体１４０の上方に突出し、内筒３０の上部の周りに接しながら下方に移動する昇降部材２１２と、昇降部材２１２の移動を感知して制御部へ測定値を伝達する第２スイッチ２１４とを含む。
【０１４７】
昇降部材２１２は、本体１４０の上方に突出した状態で設置され、内筒３０に圧着されて本体１４０の内側へ移動する場合、昇降部材２１２に接した状態で設置された第２スイッチ２１４が動作して内筒３０の安着有無を制御部へ伝達する。
【０１４８】
以下、添付図面を参照して、本発明の一実施形態に係る電気炊飯器１の作動状態を詳細に説明する。
【０１４９】
上部ヒーター部２０の上部ヒーター２５と下部ヒーター部１５０の下部ヒーター１５６が動作して熱が発生すると、内筒３０の内側にある調理対象物が加熱される。
【０１５０】
調理対象物の調理が完了するか、或いは調理中に必要に応じて圧力を排出させる場合、自動バルブ部５０が動作して、内筒３０の内側に形成された圧力を排出させる。
【０１５１】
自動バルブモーター６７が動作して駆動ギア６８を回転させると、駆動ギア６８に噛み合っている従動ギア７２が回転しながら回転調節部７０が回転する。
【０１５２】
回転調節部７０の回転により高さ調節傾斜突起７６が回転すると、高さ調節傾斜突起７６に接した状態で設置された高低突起８４が上下方向に移動する。
【０１５３】
高低突起８４と一緒に移動部８０が上方または下方に移動すると、移動部８０と加圧部材１００の支持板１０２との間に設置された第２加部材１１４の弾性力が可変する。
【０１５４】
上側密閉部材１２０を下方に加圧する第２加圧部材１１４の弾性力が可変するので、内筒３０の内側にある高圧の流体は、圧力排出孔１３４を介して上方に移動して上側密閉部材１２０を上方に押し上げながら圧力排出管路６２を介して電気炊飯器１の外側へ排出される。
【０１５５】
外側へ排出される流体の一部が垂直バー１０４に沿って上方に移動する場合、回転調節部７０の中央部を介して電気炊飯器１の外側へ排出される。
【０１５６】
設定された圧力以上に排出された後は、弾性部１１０の弾性力により加圧される上側密閉部材１２０が下側密閉部材１３０に接した状態を維持するので、上側密閉部材１２０と下側密閉部材１３０との間に移動する空気の流れを遮断する。
【０１５７】
内筒３０と上部ヒーター部２０との間に真空パッキン部４０が設置されるので、内筒３０の内側を低真空状態に維持することができ、調理対象物の長期保管が可能である。
【０１５８】
内筒３０と外筒１７０との間には空気の保熱空間が形成されるので、内筒３０の均一加熱が可能であり、内筒３０と外筒１７０との間に形成された空気の温度が設定温度に高くなる場合、空気排出部１６０が動作して、電気炊飯器１の外側へ加熱された空気を排出させる。
【０１５９】
内筒３０と外筒１７０との間に支持パッキン部１４５が設置されるので、内筒３０と外筒１７０との間に加熱された空気が外側へ漏れることを遮断することができる。
【０１６０】
自動バルブ部５０が動作して、内筒３０の内側にある空気の低圧状態が緩和した状態で、上部ケース部１０を開放するために開閉ボタン部１４３を回転させる場合、開閉ボタン部１４３に備えられた開閉ボタン突起１４４がスイッチ突起１８２を加圧して第１スイッチ１８４を動作させる。
【０１６１】
第１スイッチ１８４の動作により開閉駆動部１９０が動作して駆動軸１９４が回転すると、駆動軸１９４と一緒に高さ調節ハウジング２０２が回転する。
【０１６２】
高さ調節ハウジング２０２の傾斜面２０４によって下部が支持される受け突起２０８が上方に移動すると、移動バー２０９も移動ボディ部２０６と一緒に上方に移動しながら本体１４０の上方に突出して上部ケース部１０を所定の高さだけ持ち上げる。
【０１６３】
自動バルブ部５０が動作しても、内筒３０の内側気圧が大気圧よりも低いので、上部ケース部１０の開放に困難さが発生するが、移動バー２０９が上部ケース部１０を上方に加圧する動作と一緒に或いは移動バー２０９の動作の後に上部ケース部１０を開放する場合、上部ケース部１０の開放が容易に行われる。
【０１６４】
上述したように、本発明によれば、低圧状態が解除された電気炊飯器１の上部ケース部１０を持ち上げるために開閉ボタン部１４３を回転させると、開閉ボタン部１４３の回転を感知する開閉センサー部１８０によって開閉駆動部１９０が動作して上部ケース部１０を上方に押し上げるので、上部ケース部１０の開動作が容易に行われ得る。
【０１６５】
また、本発明は、駆動部６５の動作により排出される蒸気圧を自動調節することができ、これにより使用者の好みや飲食物の種類などに応じて様々な調理状態を提供することができる。
【０１６６】
また、電気炊飯器１に飲食物を保管する際に、蒸気を排出するための自動バルブ部５０を介して電気炊飯器１の内外側の空気が流動することを遮断するのと同時に、電気炊飯器１の内側の空気が高温状態から冷めることにより形成された低圧の低真空状態を維持するので、飲食物の貯蔵度を向上させることができる。
【０１６７】
以下、添付図面を参照して本発明の他の実施形態に係る電気炊飯器を説明する。
【０１６８】
図１７〜図２７を参照すると、本発明の他の実施形態に係る電気炊飯器は、本体４０２、真空パッキン部４１１、支持パッキン部４１６、カバー部材４０７、蒸気排出部４３０、及び真空解除部４４０を含む。
【０１６９】
本体４０２は、本発明に係る電気炊飯器１の外形を構成し、内部に内筒４０１が設置される。
【０１７０】
本体４０２は、上方から見たときに、主に四角部位がラウンドされるように形成される四角形からなることが好ましい。
【０１７１】
勿論、本体４０２は、上方から見たときに、円形、楕円形またはその他の様々な形状からなってもよい。
【０１７２】
内筒４０１は、調理物が収容されるように円筒形からなることが好ましい。よって、本体４０２には、内筒４０１を収容するための円形空間部（図示せず）が形成される。
【０１７３】
本体４０２の円形空間部の底部には、内筒４０１に熱を供給するための下部伝熱発生部（図示せず）が形成されることが好ましい。
【０１７４】
本体４０２には、内筒４０１を収容する部位に外筒４２８が備えられてもよい。外筒２８は、内筒４０１全体を包みながら熱が外部に放熱されないで内筒４０１に集まるように保温する役割を果たす。
【０１７５】
内筒４０１の外側縁部は、上側に行くほど外側に漸次拡開しながら傾く上側傾斜面４０３が形成される。
【０１７６】
上側傾斜面４０３は、外側に巻かれた形状などのように、必要に応じて様々な形状に形成されることが可能である。
【０１７７】
上部伝熱板４０５は、内筒４０１の上側に覆われ、調理の際に、適切な圧力に到達するまで蒸気が排出されることを遮断することにより、内筒４０１に収容された調理物が調理されるようにする構成である。
【０１７８】
図１９、図２２及び図２３を参照すると、上部伝熱板４０５にはカバー部材４０７が備えられるため、蒸気排出構成及び圧力解除構成などが適切な位置に備えられ得る。
【０１７９】
本発明に係る電気炊飯器は、本出願人が２０１２年１２月２１日付で出願した「電気炊飯器」（出願番号：１０−２０１２−０１５７７６６号）に適用される上、下部加熱ヒーター構成やバイメタル構成などを含む様々な構成をそのまま適用するように構成できる。
【０１８０】
このような場合、上部伝熱板４０５上には、図１９及び図２０に示すように、上部加熱のための上部ヒーター４１９が備えられてもよい。
【０１８１】
上部伝熱板４０５は、上部ヒーターブラケットによって、上側に備えられた取付板４０７と組み立てられることが可能である。
【０１８２】
上部ヒーター４２８は取付板４０４の底面に結合できる。
【０１８３】
パッキン部４１０は、上部伝熱板４０５の周りに挿入され、内筒４０１の上側傾斜面４０３の上側に接触して真空状態の密閉を行う真空パッキン部４１１と、内筒４０１の上側傾斜面４０３の底面を支持して内部熱排出遮断及び密閉を行う支持パッキン部４１６とを含む。
【０１８４】
パッキン部４１０は、本発明に係る一例でのように、円形のリング状体に形成されることが好ましい。
【０１８５】
真空パッキン部４１１は、上部伝熱板４０５の周囲に挿入される内側溝４１３が形成されるパッキン本体４１２と、パッキン本体４１２の上方に延びて取付板４０４によって押されながら、上部伝熱板４０５の周縁部の上面を覆う第１羽部材４１４と、パッキン本体４１２の下方に延び、内筒４０１の上側傾斜面４０３の上面に密着する第２羽部材４１５とを含む。
【０１８６】
第２羽部材４１５の周面には、上側傾斜面４０３の上面に接触する１つ以上のシール突起４２７が突設されることが好ましい。
【０１８７】
支持パッキン部４１６は、内筒４０１の外側に設けられる外筒４２８に支持され、本体４０２に延設される固定リブ４２６の下側に備えられる支持体４１７と、支持体４１７から上側角部へ延びて上側傾斜面４０３の底面に密着支持され、熱遮断及び密閉を行う係止支持部材４１８とを含む。
【０１８８】
支持体４１７は、外筒２８を貫通して固定リブ４２６に締結される結合部材４２５によって挿入されて固定される。
【０１８９】
結合部材４２５はねじまたはボルトを適用することが好ましい。
【０１９０】
内筒４０１は、調理のために安着されるか或いは洗浄のために分離されるとき、感知スイッチ部４２０によって電源のオン／オフ状態が制御されることが好ましい。
【０１９１】
感知スイッチ部４２０は、上部伝熱板４０５、取付板４０４、ケース４０８及び上部ハウジング４０９を含む蓋組立体のヒンジ部（図示せず）周辺の本体４０２に備えられることが好ましい。勿論、感知スイッチ部４２０の設置位置は制限されない。
【０１９２】
図２１ａを参照すると、調理のために内筒４０１を本体４０２の外筒４２８に挿入して装着する場合、内筒４０１の上側傾斜面４０３が下方に移動して感知スイッチ部４２０を作動させてオン（ＯＮ）させる。
【０１９３】
また、図２１ｂを参照すると、洗浄のために内筒４０１を本体４０２の外筒４２８から分離する場合、内筒４０１の上側傾斜面４０３が上方に移動して感知スイッチ部４２０をオフ（ＯＦＦ）させる。
【０１９４】
したがって、内筒４０１が安着された場合にのみ電気炊飯器に電源が供給されるように構成するので、感電による事故を予め防止することができる。
【０１９５】
感知スイッチ部４２０は、本体４０２に設置される第２スイッチ４２１と、スイッチ本体４２１の上側に回動可能に設置されるレバー部材４２２と、レバー部材４２２の端部が結合され、内筒４０１の上側傾斜面４０３に対して接触または分離されて昇降する昇降部材４２３と、第２スイッチ４２１に備えられ、昇降部材４２３の昇降によるレバー部材４２２の回動によってオン／オフされる作動ボタン４２４とを含む。
【０１９６】
レバー部材４２２は、金属板からなり、第２スイッチ４２１の角部にヒンジによって回動可能に設置される。
【０１９７】
作動ボタン４２４は、第２スイッチ４２１の内部に連結され、下降するとオンされ、上昇するとオフされるように構成される。
【０１９８】
作動ボタン４２４はスプリング（図示せず）によって昇降することができる。
【０１９９】
カバー部材４０７は、上部伝熱板４０５上に備えられた取付板４０４に設置される。
【０２００】
カバー部材４０７は、取付板４０４の上側に設けられたケース４０８に挿入されてもよい。
【０２０１】
カバー部材４０７は、プラスチック射出物からなり、カバー部材４０７の下側縁部を貫通して取付板４０４に締結される締結部材４７０によって結合できる。このとき、締結部材の個数は制限されない。図面では締結部材４７０が４つ備えられた状態を示している。
【０２０２】
また、カバー部材４０７は、様々な固定方式で取付板４０４に固定できる。
【０２０３】
蒸気排出部４３０は、カバー部材４０７の内部に備えられ、内筒４０１の高圧による蒸気を排出して設定圧力に維持する。
【０２０４】
蒸気排出部４３０は、カバー部材４０７に形成され、内筒４０１の内部の蒸気を蒸気排出孔４３３へ排出する流動空間部４３２と、上部伝熱板４０５に設けられた設置孔４０６に設置され、中心に蒸気通路４３５が形成される下部密閉部材４３４側に安着されて流動空間部４３２に流動可能に設置され、内部の圧力が設定値以上である場合、移動を介して蒸気を排出する上部密閉部材４３６とを含む。
【０２０５】
蒸気排出孔４３３は、上部密閉部材４３６の側方向に連結され、上側に貫通するように形成される。したがって、上部密閉部材４３６が蒸気排出によって上下に動作するとき、蒸気排出孔４３３を介した蒸気移動の際に上部密閉部材４３６に干渉されないため、蒸気の排出が容易になる。
【０２０６】
下部密閉部材４３４は、周面に形成された溝部位が上部伝熱板４０５の設置孔４０６に圧入されて嵌合されることにより、上、下側への離脱が防止された状態で結合される。
【０２０７】
上部密閉部材４３６は、下部密閉部材４３４の安着部に接触するゴム吸着板の形状に湾曲するように形成される接触部４３６ｃと、接触部４３６ｃの中心部に垂直に延びる支持部４３６ｂと、支持部４３６ｂの上側で柱状に形成されて荷重を提供する重量部４３６ａとを含む。
【０２０８】
重量部４３６ａは、円柱状、四角柱状、六角柱状などの多角柱状に形成できる。本図では重量部４３６ａを円柱状に示す。
【０２０９】
上部密閉部材４３６の上側には、流動空間部４３２を介して外部に突出して上下動作時に重量を用いて蒸気の排出を調節する補助重量部材４３８が備えられてもよい。
【０２１０】
上部密閉部材４３６は、補助重量部材４３８に連動して運動時に補助重量部材４３８が離脱しないように接触部４３６ｃの形状を変形させて、一つ以上の突出部と内部溝を含む形状にすることができる。  
補助重量部材４３８は、上、下の長さが長い中折れ帽状に図示したが、場合に応じて様々な形状に形成できる。
【０２１１】
補助重量部材４３８は、上部密閉部材４３６を包みながら嵌められ、上部密閉部材に結合できるように下面に１つ以上の突出部を含む結合部を形成することができる。
【０２１２】
図２７に示すように、補助重量部材４３８は、上下に移動しながら蒸気を排出するが、蒸気排出の際に上方に移動してから元の位置に戻り、蒸気の流出を効果的に防止するためにスプリング４３９をさらに備えることができる。  
また、補助重量部材４３８の代わりにスプリング支持台４３７を設置することにより、上部密閉部材４３６が連動して運動時に効果的に離脱しないようにすることができる。  
内筒４０１は、調理物が保管され、上部伝熱板４０５を閉じた状態で調理物が冷めると、内筒４０１の内部に膨張していた空気が収縮して体積が減ることにより、内筒４０１内に真空が形成される。
【０２１３】
このとき、上部密閉部材４３６の接触部４３６ｃは、下部密閉部材４３４の上側安着部から下側に圧着されながら蒸気通路４３５を遮断することにより、外部の空気が内部に入ることを遮断する。
【０２１４】
このように、蒸気排出部４３０とは別に、本体４０２に保管された調理物を後で食べようとする場合、内部に形成された真空を解消した後、上部伝熱板４０５を開かなければならない。もし真空を解消しない場合、内筒４０１から上部伝熱板４０５を分離することができなくなる。
【０２１５】
それで、本体４０２の内筒４０１の内部の真空を解消するための真空解除部４４０が必要である。
【０２１６】
真空解除部４４０は、蒸気排出部４３０と隣接してカバー部材４０７に備えられ、調理物が冷めながら本体４０２の内筒４０１の内部に形成された真空状態を解除する構成である。
【０２１７】
ここで、本発明で適用される「真空」という意味は、真空に近い低真空または低圧状態を示すもので、例えば、真空掃除機のように、低圧または低真空状態で使用されるにも拘わらず、「真空」という用語表現をするのと同じ意味である。
【０２１８】
図２２〜図２６に示すように、本発明に係る真空解除部４４０は回転方式で真空状態を解除する構成である。
【０２１９】
まず、一例に係る真空解除部４４０は、カバー部材４０７に形成され、空気流入孔４４３を介して外部空気が流入する設置空間部４４１と、設置空間部４４１に挿入され、空気流入孔４４３に連結される連結孔４４８、中心に設けられる貫通孔４４５、及び上側に設けられる安着溝部４４６を有するシール部材４４４と、安着溝部４４６に回動可能に安着され、回動を介して連結孔４４８に対して連通または遮断される移動孔４５８が設けられる密閉部材４５０とを含む。
【０２２０】
設置空間部４４１はカバー部材４０７の下側に円筒状に開放される。
【０２２１】
カバー部材４０７には、設置空間部４４１の一側または両側を介して外部に連通する空気流入孔４４３が設けられる。
【０２２２】
カバー部材４０７には、設置空間部４４１の上側を介して外部に連通する連結孔４０７ａが設けられる。
【０２２３】
シール部材４４４は、上部伝熱板４０５の通孔４０５ａに係合部４４７が係止挿入されることが好ましい。
【０２２４】
つまり、シール部材４４４は、係合部４４７によってシール部材４４４の下側が段差付くように形成されるので、シール部材４４４の下部が係合されるとともに、上部伝熱板４０５の上面に接触支持されることにより離脱が防止された状態で安定的に組み立てられる。
【０２２５】
密閉部材４５０は、移動孔４５８が設けられ、安着溝部４４６に安着されるボール部材４５２と、ボール部材４５２の上側に備えられ、カバー部材４０７に設けられた連結孔４０７ａを介して外部に連結される支持軸４５４と、支持軸４５４の端部に備えられ、ボール部材４５２を回動させる作動レバー４５６とを含む。  
ボール部材４５２は球形ボールであることが好ましい。
【０２２６】
支持軸４５４は、ボール部材４５２の一側面に一体または分離可能に取り付けられることが好ましい。
【０２２７】
支持軸４５４は、ボール部材４５２に分離可能に取り付けられる場合、ねじ方式または圧入方式で着脱可能に構成できる。
【０２２８】
本発明の図面では、支持軸４５４の上端部を四角柱状に形成して作動レバー４５６の溝部位に係止圧入方式（図示せず）で結合されるように構成できる。このような係止圧入方式の組立構成は一般的な構成であるため、詳細な説明は省略する。
【０２２９】
作動レバー４５６は支持軸４５４に一体または分離可能に結合できる。
【０２３０】
作動レバー４５６は、支持軸４５４を介してボール部材４６２を回転させて移動孔４５８の左右移動孔４５９がシール部材４４４の連結孔４４８に対して連通または遮断されるようにする。
【０２３１】
移動孔４５８は、ボール部材４５２の下部から中心部に連通し、シール部材４４４の貫通孔４４５に連結される上下移動孔４５７と、上下移動孔４５７から一側または両側に折り曲げられて外側に連通し、回動により連結孔４４８に一致する或いは一致しないように設けられる左右移動孔４５９とを含む。
【０２３２】
2016529962.tif 000003
【０２３３】
左右移動孔４５９はボール部材４５２の中心部の下方に設けられる。
【０２３４】
この際、連結孔４４８は、左右移動孔４５９に合わせて側面方向（左右方向）に設けられることが好ましい。
【０２３５】
空気流入孔４４３は、左右移動孔４５９に合わせて２つ設けられてもよいが、必要に応じて１つのみ備えられてもよく、連通孔４０９ａとは別に連結されてもよい。本発明の図面では流入孔４４３が１つ設けられた状態で示す。
【０２３６】
設置空間部４４１には、ボール部材４５２の上側屈曲面とシール部材４４４の上面を加圧する加圧溝部が設けられる。
【０２３７】
加圧溝部は、カバー部材４０７の四つの角部に設けられた貫通孔と取付板４０４を介して締結部材４７０を挿入して締結することにより、カバー部材４０７が下方に移動し、ボール部材４５２の上側屈曲面がシール部材４４４の上面を加圧することにより、シール部材４４４及びボール部材４５２の接触部位が密封を維持する状態で組み立てられる。
【０２３８】
作動レバー４５６の上側にはハンドル表示部４５５が設けられ、真空維持状態と真空解除状態を表示するように構成できる。
【０２３９】
図２４を参照して真空維持状態を考察すると、ハンドル表示部４５５を掴んで作動レバー４５６を回転させることによりハンドル表示部４５５が真空維持状態を向く場合、ボール部材４５２の左右移動孔４５９がシール部材４４４の連結孔４４８に連結されない状態にあり、空気流入孔４４３に流入する空気が連結孔４４８に対してボール部材４５２で遮断されてもはや移動しない。
【０２４０】
よって、本体４０２の内部は真空状態を維持する。
【０２４１】
図２５を参照して、真空解除状態を考察すると、ハンドル表示部４５５を掴んで作動レバー４５６を回転させることによりハンドル表示部４５５が真空解除状態を向く場合、ボール部材４５２の左右移動孔４５９がシール部材４４４の連結孔４４８に連結される状態にあり、空気流入孔４４３に流入する空気が連結孔４４８、左右移動孔４５９及び貫通孔４４５を経て本体４０２の内部に流入して真空が解除される。
【０２４２】
よって、使用者は、本体４０２の内筒４０１から、上部伝熱板４０５、取付板４０４、カバー部材４０７、ケース４０８及び上部ハウジング４０９を含む蓋組立体をヒンジ部（示せず）を基準に容易かつ楽に開くことができる。
【０２４３】
カバー部材４０７の上側の周縁部には安着溝部４０７ｂが設けられる。
【０２４４】
安着溝部４０７ｂには、ケース４０８に挿入されるＯリング部材８０が備えられてもよい。
【０２４５】
Ｏリング部材４８０は、カバー部材４０７の連結孔４０７ａの周辺を密封するように構成され、連結孔４０７ａに連通する通過孔４８２を設ける。
【０２４６】
一方、ケース４０８の上側には上部ハウジング４０９がさらに備えられる。
【０２４７】
上部ハウジング４０９には、作動レバー４５６のハンドル表示部４５５の回転位置を知らせるための「真空維持」と「真空解除」という文字が表記できる。
【０２４８】
上部ハウジング４０９には、カバー部材４０７の連結孔４０７ａとＯリング部材４８０の通過孔４８２を介して排出される蒸気を外部へ案内する多数の連通孔４０９ａが設けられてもよい。
【０２４９】
連通孔４０９ａは、上部ハウジング４０９のラウンド部位に楕円形で花柄状に設けられてもよい。
【０２５０】
勿論、連通孔４０９ａは必要に応じて様々な形状に設けられることが可能である。
【０２５１】
図２７を参照すると、連通孔４０９ａは空気流入孔４４３と蒸気排出孔４３３にそれぞれ別々に設けられることが可能である。こうして蒸気排出孔４３３に連結された連通孔４０９ａは、内部の蒸気が設定以上の圧力になったときに蒸気を排出する用途に用いられ、空気流入孔４４３に連結された連通孔４０９ａは、作動レバー４５６の回動により空気を流入させる用途に用いられる。蒸気排出孔４３３と空気流入孔４４３を分離させて各連通孔４０９ａに連結することにより、排出される空気或いは流入する空気が円滑に移動し、互いに干渉できる可能性を排除させることができる。
【０２５２】
本発明は図示した実施形態を参照して説明されたが、これらの実施形態は例示的なものに過ぎない。当該技術の属する分野における通常の知識を有する者であれば、本発明は様々な変形及び均等な他の実施が可能であることを理解するであろう。
【０２５３】
よって、本発明の真正な技術的保護範囲は特許請求の範囲によって定められるべきである。
【符号の説明】
【０２５４】
１    電気炊飯器
１０    上部ケース部
１２    上部ハウジング
１４    フレーム部
２０    上部ヒーター部
２１    固定板
２２    第１連結孔
２４    上部ヒーターブラケット
２５    上部ヒーター
２７    上部伝熱板
２８    第２連結孔
３０    内筒
４０    真空パッキン部
４２    パッキン本体
４３    内側溝
４５    第１羽部材
４６    第２羽部材
４７    第２羽本体
４８    シール突起
５０    自動バルブ部
５２    バルブケース
５４    第１ケース
５５    第１取付部
５６    第１取付面
５７    放熱突起
５８    第２取付部
６０    第２ケース
６１    第２ケース本体
６２    圧力排出管路
６３    回転防止突起
６５    駆動部
６７    自動バルブモーター
６８    駆動ギア
７０    回転調節部
７２    従動ギア
７４    回転調節本体
７６    高さ調節傾斜突起
７８    ガイド突起
８０    移動部
８２    移動ベース
８４    高低突起
８６    ガイド溝
８８    係止溝
９０    移動ケース部
９２    移動ケース本体
９４    ガイドレール
９６    係止突部
９７    回転防止孔
９８    高さガイド溝
９９    結合溝
１００    加圧部材
１０２    支持板
１０４    垂直バー
１１０    弾性部
１１２    第１加圧部材
１１４    第２加圧部材
１２０    上側密閉部材
１２２    第１密閉板
１２４    結合突起
１３０    下側密閉部材
１３２    第２密閉板
１３４    圧力排出孔
１３７    自動バルブパッキン
１４０    本体
１４１    ボディハウジング
１４２    ベースハウジング
１４３    開閉ボタン部
１４４    開閉ボタン突起
１４５    支持パッキン部
１４７    弾性ヒンジ部
１４８    カバーケース
１５０    下部ヒーター部
１５２    下部伝熱部
１５４    下部ヒーターブラケット
１５６    下部ヒーター
１６０    空気排出部
１６２    バイメタルボディ
１６４    遮蔽突起
１７０    外筒
１７２    排気孔
１８０    開閉センサー部
１８２    スイッチ突起
１８４    第１スイッチ
１９０    開閉駆動部
１９２    駆動モーター
１９４    駆動軸
１９６    支持ハウジング
２００    伝達部
２０２    高さ調節ハウジング
２０４    傾斜面
２０６    移動ボディ部
２０７    胴体部
２０８    受け突起
２０９    移動バー
２１０    感知スイッチ部
２１２    昇降部材
２１４    第２スイッチ
２２０    内部温度測定センサー
２３０    上部温度センサー
２４０    下部温度センサー
４０１    内筒
４０２    本体  
４０３    上側傾斜面
４０４    取付板
４０５    上部伝熱板
４０６    設置孔
４０７    カバー部材
４０８    ケース  
４０９    上部ハウジング
４０９ａ    連通孔
４１０    パッキン部
４１１    真空パッキン部
４１２    パッキン本体
４１３    内側溝  
４１４    第１羽部材
４１５    第２羽部材
４１６    支持パッキン部
４１７    支持体
４１８    係止支持部材
４１９    上部ヒーター  
４２０    スイッチ部
４２１    第２スイッチ
４２２    レバー部材
４２３    昇降部材
４２４    作動ボタン
４２５    結合部材  
４２６    固定リブ
４３０    蒸気排出部
４３２    流動空間部
４３３    蒸気排出孔
４３４    下部密閉部材
４３５    蒸気排出通路  
４３６    上部密閉部材
４３７    スプリング支持台
４３８    補助重量部材  
４３９    スプリング
４４０    真空解除部
４４１    設置空間部  
４４３    空気流入孔
４４４    シール部材
４４５    貫通孔  
４４６    安着溝部
４４７    係合部
４４８    連結孔
４５０    密閉部材
４５２    ボール部材
４５４    支持軸  
４５６    作動レバー
４５８    移動孔
４５７    上下移動孔
４５９    左右移動孔
４７０    締結部材
【図１】
2016529962.tif 000004
【図２】
2016529962.tif 000005
【図３】
2016529962.tif 000006
【図４】
2016529962.tif 000007
【図５】
2016529962.tif 000008
【図６】
2016529962.tif 000009
【図７】
2016529962.tif 000010
【図８】
2016529962.tif 000011
【図９】
2016529962.tif 000012
【図１０】
2016529962.tif 000013
【図１１】
2016529962.tif 000014
【図１２】
2016529962.tif 000015
【図１３】
2016529962.tif 000016
【図１４】
2016529962.tif 000017
【図１５】
2016529962.tif 000018
【図１６】
2016529962.tif 000019
【図１７】
2016529962.tif 000020
【図１８】
2016529962.tif 000021
【図１９】
2016529962.tif 000022
【図２０】
2016529962.tif 000023
【図２１ａ】
2016529962.tif 000024
【図２１ｂ】
2016529962.tif 000025
【図２２】
2016529962.tif 000026
【図２３】
2016529962.tif 000027
【図２６】
2016529962.tif 000028
【図２７】
2016529962.tif 000029
【図２４】
2016529962.tif 000030
【図２５】
2016529962.tif 000031
【国際調査報告】
2016529962.tif 000032
2016529962.tif 000033
2016529962.tif 000034
2016529962.tif 000035